(57)【要約】【課題】  例えば、クリックの有無の切り替えに有利なレンズ装置を提供する。【解決手段】  レンズ装置は、固定筒と、前記固定筒の周りに配された操作リングと、前記固定筒内に配され、前記操作リングの回転操作によって状態が変更される光学部材と、前記操作リングの回転操作によってクリックを生成するクリック機構と、を有し、前記光学部材は、互いに異なる前記操作リングの第１回転範囲と第２回転範囲とのいずれでも操作可能に、かつ前記クリック機構は、前記第１回転範囲では機能し、前記第２回転範囲では機能しないように、かつ前記第１回転範囲と前記第２回転範囲とは、それぞれの回転範囲を超える更なる前記操作リングの回転操作により互いに切り替え可能に、それぞれ構成されている、ことを特徴とする。【選択図】  図１
2020112597.tif 000002
【特許請求の範囲】
【請求項１】
固定筒と、
前記固定筒の周りに配された操作リングと、
前記固定筒内に配され、前記操作リングの回転操作によって状態が変更される光学部材と、
前記操作リングの回転操作によってクリックを生成するクリック機構と、
を有し、
前記光学部材は、互いに異なる前記操作リングの第１回転範囲と第２回転範囲とのいずれでも操作可能に、かつ前記クリック機構は、前記第１回転範囲では機能し、前記第２回転範囲では機能しないように、かつ前記第１回転範囲と前記第２回転範囲とは、それぞれの回転範囲を超える更なる前記操作リングの回転操作により互いに切り替え可能に、それぞれ構成されている、
ことを特徴とするレンズ装置。
【請求項２】
前記操作リングは、光軸の方向における深さが互いに異なる第１溝と第２溝とが形成された第１面を有し、
前記固定筒は、前記光軸のまわりの円弧に沿って前記光軸の方向における凹部が形成された第２面を有し、
前記クリック機構は、前記凹部に接触可能で前記光軸を中心に回転可能な回転部材と、前記回転部材を前記第１面および前記第２面に向けて付勢する弾性部材と、を有し、
前記凹部は、クリック溝が形成され、
前記回転部材が前記第１溝と嵌合している場合には、前記回転部材は、前記クリック溝に嵌合でき、前記回転部材が前記第２溝と嵌合している場合には、前記回転部材は、前記クリック溝に嵌合できないように構成されている、
ことを特徴とする請求項１に記載のレンズ装置。
【請求項３】
前記回転部材は、前記操作リングの回転角と前記凹部の形状とにより、前記第１溝および前記第２溝のうちのいずれかと嵌合することを特徴とする請求項２に記載のレンズ装置。
【請求項４】
前記回転部材は、前記操作リングと前記光学部材とを連結していることを特徴とする請求項２または請求項３に記載のレンズ装置。
【請求項５】
前記第１溝と前記第２溝とは、前記光軸に関して互いに対向する位置に配されていることを特徴とする請求項２ないし請求項４のうちいずれか１項に記載のレンズ装置。
【請求項６】
前記光学部材は、光量、物体距離、および焦点距離のうちの少なくとも１つを調整するための光学部材を含むことを特徴とする請求項１ないし請求項５のうちいずれか１項に記載のレンズ装置。
【請求項７】
請求項１ないし請求項６のうちいずれか１項に記載のレンズ装置と、
前記レンズ装置の像面に配された撮像素子と、
を有することを特徴とする撮像装置。
【発明の詳細な説明】
【技術分野】
【０００１】
本発明はレンズ装置および撮像装置に関する。
【背景技術】
【０００２】
静止画・動画両方の撮像に対応したレンズ装置において、アイリスリングの回転におけるクリックの有無を切り替え可能なものがある。静止画撮像する場合は、クリックが有ることで、Ｆ値（Ｆ２．８、Ｆ４・・・・）の認識が容易となるメリットがある。また、動画を撮像する場合は、クリックが無いことで、Ｆ値の連続的な変更が容易となり、また、クリック音をなくせるメリットがある。
【０００３】
特許文献１は、押しボタンを押してアイリスリングを回転することによりクリックの有無を切り替える機構が開示している。また、特許文献２は、アイリスリングを光軸方向に引いて回転することによりクリックの有無を切り替える機構を開示している。
【先行技術文献】
【特許文献】
【０００４】
【特許文献１】ＷＯ２０１６−０３９２９４号公報
【特許文献２】特許第５１６６５９７号公報
【発明の概要】
【発明が解決しようとする課題】
【０００５】
上述の特許文献に開示された発明は、クリックの有無の切り替えにアイリスリング以外の部材の操作またはアイリスリングの特殊な操作を要し、部品点数または操作性の点で不利である。
【０００６】
本発明の目的は、例えば、クリックの有無の切り替えに有利なレンズ装置を提供することである。
【課題を解決するための手段】
【０００７】
上記目的を達成するために、本発明のレンズ装置は、固定筒と、前記固定筒の周りに配された操作リングと、前記固定筒内に配され、前記操作リングの回転操作によって状態が変更される光学部材と、前記操作リングの回転操作によってクリックを生成するクリック機構と、を有し、前記光学部材は、互いに異なる前記操作リングの第１回転範囲と第２回転範囲とのいずれでも操作可能に、かつ前記クリック機構は、前記第１回転範囲では機能し、前記第２回転範囲では機能しないように、かつ前記第１回転範囲と前記第２回転範囲とは、それぞれの回転範囲を超える更なる前記操作リングの回転操作により互いに切り替え可能に、それぞれ構成されている、ことを特徴とする。
【発明の効果】
【０００８】
本発明によれば、例えば、クリックの有無の切り替えに有利なレンズ装置を提供することができる。
【図面の簡単な説明】
【０００９】
【図１】本発明のレンズ装置の側面図
【図２】本発明のクリックモード時のクリック機構の断面図
【図３】本発明のクリック機構の分解斜視図
【図４】本発明のアイリスリングの背面図
【図５】本発明のクリックモード時のクリック機構の展開図
【図６】本発明のクリック非クリック切り替え時のクリック機構の断面図
【図７】本発明のクリック非クリック切り替え時のクリック機構の展開図
【図８】本発明の非クリックモード時のクリック機構の断面図
【発明を実施するための形態】
【００１０】
以下に、本発明の好ましい実施の形態を、添付の図面に基づいて詳細に説明する。
【実施例１】
【００１１】
以下、図１を参照して、本発明の第１の実施例による、レンズ装置に関して説明する。
レンズ１００は動画撮影可能なデジタルカメラに装着可能なレンズ装置である。固定筒２の外周には、光軸（ｘ−ｘ）前方から、フォーカスリング１１、ズームリング１０、アイリスリング１が光軸を中心に回動可能に支持されている。フォーカスリング１１、ズームリング１０、アイリスリング（操作リング）１にはそれぞれ被写体距離目盛１１ａ、焦点距離目盛１０ａ、Ｔｎｏ．目盛１ａが彫刻されている。フォーカスリング１１、ズームリング１０、アイリスリング（操作リング）１を回転すると、それぞれに対応する光学部材であるフォーカスレンズ、ズームレンズ、アイリス（絞り）が駆動し、目盛を指標１００ａに合わせて被写体距離（物体距離）、焦点距離、Ｔｎｏ．（光量）を変更（調整）する。前記目盛および指標は紙面の反対側にも彫刻されており、光軸を挟んでレンズ１００の両側から視認可能である。ここで、Ｔｎｏ．とはレンズの透過率を考慮した、センサーに実際に到達する明るさである。
【００１２】
アイリスリング１はクリック機構を備えており、所定のＴｎｏ．変更時にクリック感を与えるクリックモードと、クリック感がなく滑らかに操作可能な非クリックモードとの切り替えが可能である。上記クリックモード時に、使用回転範囲の端（開放値またはＣｌｏｓｅ）に設定後、更に回転操作することで非クリックモードへ切り替え可能となる。切り替え機能の詳細は後述する。
【００１３】
次に図２〜４を用いて、本実施例におけるアイリスユニットのクリック機構の構成について説明する。図２はクリックモード状態のクリック機構の断面図である。図３はクリック機構の分解斜視図である。図４は光軸方向から見たアイリスリング１である。
【００１４】
図２に示すように、固定筒２は内周側にアイリスユニット２００を保持している。アイリスユニット２００は、羽根３、アイリスベース４、アイリスカム５で構成されている。アイリスカム５を回転させるとカムに沿って羽根３が内側に移動しＴｎｏ．を変更可能となる。アイリスピン（回転部材）６はアイリスリング１とアイリスカム５に嵌合する連動部材であり、アイリスリング１の回転操作量をアイリスユニット２００に伝えている。
【００１５】
固定筒２には、光軸方向における面（第２面）に、アイリスリング１を回転操作時にアイリスピン６が通る切り欠き部（凹部）が、光軸のまわりの円弧に沿って設けられている。切り欠き部の光軸方向面（底部）には複数のクリック溝２ａが形成され、両端部には斜面２ｂおよびアイリスリング１の回転方向におけるアイリスピン６の移動範囲（第１回転範囲、第２回転範囲）端となる両端面２ｃ（図５、７参照）が形成されている。
【００１６】
アイリスリング１の側面（第１面）には、光軸方向に向けて、第１嵌合溝（第１溝）１ｂ、第２嵌合溝（第２溝）１ｃが１８０°対称位置（回転方向に対し回転対称位置、光軸方向に関して互いに対向する位置）に形成されている。アイリスリング１の後方には後固定筒９が固定筒２に固定されている。後固定筒９はバネ（弾性部材）８を保持しており、バネ８は摺動リング７を介してアイリスピン６を光軸方向に付勢している。
【００１７】
アイリスピン（係合部材）６は、切り欠き部内（凹部内）で光軸を中心に回動可能に構成され、アイリスリング１に対し所定の回転角の位置にある場合にはアイリスリング１と係合して回転し、絞りの開口量（撮影条件）を変更する。すなわち、クリックモード時はアイリスピン６が第１嵌合溝１ｂに嵌合してアイリスユニット２００を操作し、かつ切り欠き部の光軸方向面（底部）に接触可能な構成であるので該光軸方向面（底部）を押圧しながら回動してクリック溝２ａに付勢されるためクリック感が与えられる。非クリックモード時は第２嵌合溝１ｃに嵌合してアイリスユニット２００を操作し、クリック溝２ａに付勢されないためクリック感がなく滑らかに操作できる。
【００１８】
アイリスリング１には左右両側から視認可能なようにＴｎｏ．目盛１ａが１８０°対称に彫刻されている。そのため、アイリスリングを１８０°回転させクリックモードから非クリックモードに切り替えたときにＴｎｏ．目盛１ａはそのまま使用できる。すなわち、アイリスリング１の互いに異なる２つの移動範囲（第１回転範囲と第２回転範囲）のいずれでもアイリスを操作可能である。
【００１９】
次にクリックモード、切り替えモード、非クリックモードのクリック機構の動きに関して図２、図５〜８を用いて説明する。
【００２０】
クリックモード時に開放から１段絞った時のクリック機構の動きを図５（ａ）〜（ｃ）に示す。ここで図５において上下方向が光軸方向である。アイリスピン６は第１嵌合径６ａ、第２嵌合径６ｂを有しており、それぞれアイリスカム５の連結溝５ａとアイリスリング１の第１嵌合溝１ｂに嵌合している。図５に示すように、第１嵌合溝１ｂの底面はクリック溝２ａより光軸方向前方に位置している。そのため、バネ８によってアイリスピン６はクリック溝２ａに付勢される。
【００２１】
図５（ａ）に示す開放状態からアイリスリング１をＣｌｏｓｅ方向に回転させると、図５（ｂ）の状態になる。この時アイリスピン６はバネ８でクリック溝２ａに付勢されているため、クリック溝２ａに沿って光軸方向に移動する。図５（ｂ）の状態から更にＣｌｏｓｅ方向に回転させ、Ｔ４に設定した時、図５（ｃ）の状態になる。この時アイリスピン６は、バネ８で付勢されているため、クリック溝２ａに嵌り、クリック感を与える（生成する）。上述のように、代表Ｔｎｏ．に設定時、クリック感を与えるようにクリック溝２ａは形成されている。
【００２２】
次に図６〜８を用いてクリックモードから非クリックモードの切り替えについて説明する。図６はモード切り替え状態のクリック機構の断面図、図８は非クリックモード時のクリック機構の断面図であり、図７（ａ）〜（ｄ）はクリックモードから非クリックモードに切り替わる時のクリック機構の動きを示す。ここで図７において上下方向が光軸方向である。
【００２３】
図７（ａ）はクリックモードでＣｌｏｓｅ設定時の状態を表しており、この状態から更にアイリスリング１を回転すると、図７（ｂ）に示すように、アイリスピン６は斜面２ｂに当接する。
【００２４】
図７（ｂ）の状態から更にアイリスリング１を回転させると、図７（ｃ）の状態になる。この時、アイリスピン６は、斜面（形状）２ｂに沿って光軸方向に移動し、アイリスピン６の回転方向の移動範囲は端面２ｃで規制されているため、第１嵌合溝１ｂから脱落する。つまり、アイリスリング１とアイリスユニット２００の連動が解除され、アイリスピン６は端面２ｃに付勢された状態となり、アイリスリング１のみが回転可能となる。この時、図６に示すように、アイリスピン６はバネ８を圧縮しながら斜面２ｂを摺動することになり、クリックモード時よりも回転トルクが重くなるため、切り替えモードになったことをアイリスリング１の操作感で認識することができる。
【００２５】
図７（ｃ）の状態（第１回転範囲の端にある状態）から更に（第１回転範囲外の方向へ）アイリスリング１を回転すると、アイリスピン６の位置はそのままで、アイリスリング１のみが移動する。切り替えモードになってから１８０°回転すると、図７（ｄ）の状態になる。この時アイリスピン６と第２嵌合溝１ｃが同位相となるため、バネ８で付勢されたアイリスピン６は第２嵌合溝１ｃに嵌り、アイリスユニット２００の操作が可能となる。この時、第２嵌合溝１ｃの深さは第１嵌合溝１ｂより浅く、底面はクリック溝２ａよりも後ろ側（固定部の切り欠き部内でクリック溝２ａから離れる側）に位置している。そのため、アイリスピン６はバネ８によって第２嵌合溝１ｃの底面に付勢され、クリック溝２ａには付勢されない非クリックモードとなり、滑らかにＴｎｏ．を変更することが可能となる。
【００２６】
上記のように、アイリスピン６をクリック溝２ａに付勢可能に嵌合する第１嵌合溝１ｂとクリック溝２ａに付勢しないように嵌合する第２嵌合溝１ｃを形成した。そうすることでアイリスピン６を嵌合する溝を変更することでクリックと非クリックを切り替えることが可能である。
【００２７】
また、クリック溝２ａの両端に斜面２ｂを形成した。このような構成としたことで、Ｃｌｏｓｅ位置からアイリスリング１を回転操作することのみで第１嵌合溝１ｂから第２嵌合溝１ｃへの嵌合に切り替えることができるため、操作性を向上させることができる。また、アイリスリング１とアイリスユニット２００との連動部材であるアイリスピン６でクリック機構を構成したことで、クリック感を与えるための専用の部材を使用する必要がないため、部品点数の削減も実現できる。
【００２８】
本実施例においてはアイリスの位置をＣｌｏｓｅに設定後、更にアイリスリング１を回転させ、クリックを切り替える動きを説明したが、図３、図５に示すように開放側にも同様の斜面２ｂを形成している。そのため、開放に設定後、更に回転させる操作でもクリック有無の切り替えが可能である。また、本実施例においては、アイリスリング１にクリック切り替え機構を設けたが、フォーカスリング１１、ズームリング１０に同様のクリック切り替え機構を設けても良い。
【００２９】
実施例では、クリック感を与えるための機構をアイリスピンを利用して実現している構成に対して本発明を適用したが、本発明はこの構成に適用することに限定されることはない。例えば、クリック感を与えるための機構をアイリスピンの併用に代えて、クリック溝・嵌合溝に落ち込む専用の部材としての、ボールやピン等や弾性部材自体に対して本発明の機構を適用しても本発明の効果を享受することができる。その場合には、例えば、固定筒２の切り欠き部（第１回転範囲）には、クリック溝２ａは構成されず、両端に斜面２ｂおよび端面２ｃが構成される。
【００３０】
また、図５、７に示した構成が、アイリスピンに対してではなく、クリック感を与えるための部材であるボールやピン等や弾性部材に対して、別のクリック溝が構成された切り欠き部（第２回転範囲）が構成される。
本発明のレンズ装置と、レンズ装置の像面に配された撮像素子とを有することを特徴とする撮像装置により、本発明の効果を享受する撮像装置を実現することができる。
【符号の説明】
【００３１】
１ ・・・・ アイリスリング（操作リングね、係合部材）
２ ・・・・ 固定筒
６ ・・・・ アイリスピン（回転部材）
８ ・・・・ バネ（クリック機構）
１ｂ ・・・ 第１嵌合溝（クリック機構）
１ｃ ・・・ 第２嵌合溝（クリック機構）
２ａ ・・・ クリック溝（クリック機構）
２ｂ ・・・ 斜面（クリック機構）
【図１】
2020112597.tif 000003
【図２】
2020112597.tif 000004
【図３】
2020112597.tif 000005
【図４】
2020112597.tif 000006
【図５】
2020112597.tif 000007
【図６】
2020112597.tif 000008
【図７】
2020112597.tif 000009
【図８】
2020112597.tif 000010